(57)【要約】【課題】浴室内の暖房，乾燥，換気および浴室内をサウナ空間とするサウナ機能を搭載した浴室暖房乾燥装置において、入浴者に送風や温水を直接あたらないようまたはあてるように制御することを目的としている。【解決手段】浴室内の空気を循環するための循環風路内に設けた循環ファン３および加熱手段４と、温水および冷水を噴射するミスト噴射手段５と、浴室内の空気を排気する換気ファン６および前記循環ファン３、加熱手段４、ミスト噴射手段５、換気ファン６を組み合わせて駆動し、乾燥運転、暖房運転、換気運転、サウナ運転を行う浴室暖房乾燥装置において、浴室内に音を検出する音検出手段９を２つ以上備え、検出した音の伝達時間の差により入浴者の位置を検出することにより、入浴者に送風や温水を直接あたらないようまたはあてるように制御する浴室暖房乾燥装置を提供できる。【選択図】図１
2010117060.tif 000002
【特許請求の範囲】
【請求項１】
浴室内の空気を循環する循環風路と、この循環風路に空気を送風する循環ファンと、前記循環風路を通過する空気を加熱する加熱手段と、温水および冷水を噴射するミスト噴射手段と、前記循環ファンと加熱手段とミスト噴射手段と制御する制御部を備えた浴室暖房乾燥装置において、浴室内の音を検出する音検出手段を少なくとも２つ以上備え、前記制御部に、前記音検出手段の検出した音の伝達時間の差により浴室内に在室している人の位置を検出する位置検出手段を備えた浴室暖房乾燥装置。
【請求項２】
第１の音検出手段と第２の音検出手段を備え、位置検出手段は、第１または第２の音検出手段の一方が音の発生を検出した時から他方が音の検出をした時までの時間を検出する構成とした請求項１記載の浴室暖房乾燥装置。
【請求項３】
制御部には、音検出手段の信号を受けて雑音を除去する雑音除去手段を設けた請求項２記載の浴室暖房乾燥装置。
【請求項４】
雑音除去手段は、受けた信号に対して所定のしきい値を有する請求項３記載の浴室暖房乾燥装置。
【請求項５】
雑音除去手段は、所定のしきい値を可変して設定する構成を有する請求項４記載の浴室暖房乾燥装置。
【請求項６】
雑音除去手段は、浴室に人がいないときにしきい値を調整することを特徴とする請求項５記載の浴室暖房乾燥装置。
【請求項７】
雑音除去手段は、運転モードごとにしきい値を設定可能にして設けた請求項３記載の浴室暖房乾燥装置。
【請求項８】
音検出手段は、エレクトレットコンデンサマイクで構成した請求項１から７記載の浴室暖房乾燥装置。
【請求項９】
暖房またはサウナ運転の場合に浴室に在室している人の位置の検出を行うことを特徴とする請求項１から８に記載の浴室暖房乾燥装置。
【請求項１０】
浴室内に在室している人の位置を検出した時に、循環ファンを弱またはミスト噴射手段の出力をＯＦＦすることを特徴とする請求項１から９記載の浴室暖房乾燥機。
【請求項１１】
浴室への送風方向を制御するルーバを備え、浴室内に在室している人の位置を検出した時に、前記人に送風を直接あてないようまたはあてるように選択設定して風向を制御することを特徴とする請求項１から１０記載の浴室暖房乾燥装置。
【請求項１２】
浴室内に在室している人の位置を検出するまでは、風向角度を閉方向に制御し、循環ファンの動作を抑制または止めるように制御し、ミスト噴射手段の出力をＯＦＦとする制御を行うことを特徴とする請求項１１記載の浴室暖房乾燥装置。
【請求項１３】
暖房運転の起動時は風向角度が決定したのちに循環ファンの動作を行い送風することを特徴とする請求項９記載の浴室暖房乾燥装置。
【請求項１４】
サウナ運転の起動時は風向角度が決定したのちに循環ファンの動作を行い送風し、ミスト噴射手段の出力をＯＮすることを特徴とする請求項９記載の浴室暖房乾燥装置。
【発明の詳細な説明】
【技術分野】
【０００１】
本発明は、浴室内の暖房，乾燥，換気を行う浴室暖房乾燥装置および浴室内をサウナ空間とするサウナ機能を搭載した浴室暖房乾燥装置に関するものである。
【背景技術】
【０００２】
従来、この種の浴室暖房乾燥装置は、換気、循環の各々の風路内に換気用の換気ファン、循環用の循環ファンを備え、各々専用のモータによって回転し、また、循環風路内に加熱手段を備え、温水および冷水を噴射するミスト噴射手段を備え、循環ファン、加熱手段、換気ファン、ミスト噴射手段を組み合わせて駆動することにより、各運転、例えば、乾燥運転、暖房運転、換気運転、サウナ運転を行うようにしたものが知られている。
【０００３】
乾燥運転では、循環ファン、加熱手段、換気ファンが駆動され、加熱手段により浴室内の空気を加熱して循環ファンにより加熱された空気を浴室内に循環させながら、換気ファンにより浴室内の空気が換気風路内を通り、外部に排出され、暖房運転では、循環ファン、加熱手段が駆動され、加熱手段により浴室内の空気を加熱して循環ファンにより加熱された空気を浴室内に循環させることにより、浴室内の温度を上昇させ、換気運転では、換気ファンが駆動され、換気ファンにより浴室内の空気を排気し、サウナ運転では、暖房運転での循環ファン、加熱手段の駆動に加え、ミスト噴射手段が駆動され、ミストの噴射により浴室内を加湿しサウナ空間とするという各種の運転モードである。
【０００４】
また、循環ファンによる浴室内への送風方向を調整するために風向角度の変更を行う可動ルーバを備え、浴室内にいる人の位置を設定により人の存在位置を予測し、風向角度の変更、循環ファンの強弱、ミスト噴射のＯＮ／ＯＦＦなどを制御し、使用者の入浴時の快適性向上を考慮したものが知られている（例えば、特許文献１参照）。
【０００５】
以下、その浴室暖房乾燥装置について図４（ａ）を参照しながら説明する。
【０００６】
図４（ａ）に示すように、浴室１０１の天井部１０２に設置された本体１０３の内部に送風手段としての循環ファン１０４と、加熱手段１０５とを備え、浴室１０１内の空気を本体１０３内に吸い込み口１０６から取り込み、加熱手段１０５により暖められた空気が循環ファン１０４を介して吹き出し口１０７から吹き出される構成であり、また、浴室１０１内の空気を排気する換気手段としての換気ファン１０８と、本体１０３の下部にはミストの噴射により浴室１０１内を加湿しサウナ空間とするためのミスト噴射手段１０９と、吹き出し口１０７に風向を調節するための風向変更手段としてのルーバ１１０が備えられ、ルーバ駆動用モータ１１１によりルーバ１１０の角度調節が可能となっており、前記循環ファン１０４、加熱手段１０５、換気ファン１０８、ミスト噴射手段１０９、ルーバ１１０を組み合わせて駆動する制御部１１２とを備えている。
【０００７】
本体１０３の設置時に浴槽と洗い場との位置関係が決定するため、位置関係の設定を事前に行うことにより、例えば運転起動時には洗い場に人がいると予測して風や温水が直接あたらないように循環ファン１０４を弱めに制御し、ミスト噴射手段１０９の出力をＯＦＦに制御し、ルーバ１１０の角度調節を行うことにより使用者の入浴時の快適性向上としている。
【０００８】
あるいはルーバ１１０の角度調節を行い、送風によりミスト噴射手段１０９の気流を変更することにより使用者の入浴時の快適性向上としている。
【０００９】
あるいはミスト噴射手段１０９の射出方向が可変となっており、循環ファン１０４を弱めに制御し、ミスト噴射手段１０９の射出方向を変更し、ルーバ１１０の角度調節を行うことにより使用者の入浴時の快適性向上としている。
【００１０】
また、浴室内にいる人の位置を光電センサ１１３により検出し、風向角度の変更、循環ファンの強弱、ミスト噴射のＯＮ／ＯＦＦなどを制御し、使用者の入浴時の快適性向上を考慮したものが知られている（例えば、特許文献２参照）。
【００１１】
以下、その浴室暖房乾燥装置について図４（ｂ）を参照しながら説明する。
【００１２】
図４（ｂ）に示すように、図４（ａ）の構成に対し、さらに本体１０３に近接する物体を検出する物体検出手段としての光電センサ１１３が備えられている。
【００１３】
光電センサ１１３が物体を検知しなくなるまで、すなわち浴室１０１内にいる人に風や温水が直接あたらないように例えば循環ファン１０４を弱めに制御し、ミスト噴射手段１０９の出力をＯＦＦに制御し、ルーバ１１０の角度調節を行うことにより使用者の入浴時の快適性向上としている。
【特許文献１】特開２００２−３３６１５５号公報
【特許文献２】特開２００３−２６９７７８号公報
【発明の開示】
【発明が解決しようとする課題】
【００１４】
このような従来の浴室暖房乾燥装置で、浴室内にいる人の位置を設定により人の存在位置を予測する方法では、設置状況により位置関係を把握した上で設定が必要であり、分かりづらいという課題がある。
【００１５】
また、人の位置を検出するのではなく、例えば洗い場側を人体存在予定箇所とするため、浴槽側にいた際には、意図に反する動作ともなりうるという課題がある。
【００１６】
また、光電センサにより人の位置を検出する方法では、浴室内の水蒸気や光電センサの汚れにより光量が減衰し検出しづらいという課題がある。
【００１７】
本発明は、このような従来の課題を解決するものであり、浴室内にいる人を確実に検出し、自動で送風や温水を直接あたらないようまたはあてるように制御することができる浴室暖房乾燥装置を提供することを目的としている。
【課題を解決するための手段】
【００１８】
本発明の浴室暖房乾燥装置は上記目的を達成するために、浴室内の空気を循環する循環風路と、この循環風路に空気を送風する循環ファンと、前記循環風路を通過する空気を加熱する加熱手段と、温水および冷水を噴射するミスト噴射手段と、前記循環ファンと加熱手段とミスト噴射手段と制御する制御部を備えた浴室暖房乾燥装置において、浴室内の音を検出する音検出手段を少なくとも２つ以上備え、前記制御部に、前記音検出手段の検出した音の伝達時間の差により浴室内に在室している人の位置を検出する位置検出手段を備えたものである。
【００１９】
この手段により浴室内に在室している人の位置を検出することができる浴室暖房乾燥装置が得られる。
【００２０】
また、第２の課題解決手段は、第１の音検出手段と第２の音検出手段を備え、位置検出手段は、第１または第２の音検出手段の一方が音の発生を検出した時から他方が音の検出をした時までの時間を検出する構成としたものである。
【００２１】
この手段により浴室内に在室している人の位置を検出することができる浴室暖房乾燥装置が得られる。
【００２２】
また、第３の課題解決手段は、制御部には、音検出手段の信号を受けて雑音を除去する雑音除去手段を設けたものである。
【００２３】
この手段により浴室内に在室している人の位置を検出することができる浴室暖房乾燥装置が得られる。
【００２４】
また、第４の課題解決手段は、雑音除去手段は、受けた信号に対して所定のしきい値を有するものである。
【００２５】
この手段により浴室内に在室している人の位置を検出することができる浴室暖房乾燥装置が得られる。
【００２６】
また、第５の課題解決手段は、雑音除去手段は、所定のしきい値を可変して設定する構成を有するものである。
【００２７】
この手段により浴室内に在室している人の位置を検出することができる浴室暖房乾燥装置が得られる。
【００２８】
また、第６の課題解決手段は、雑音除去手段は、浴室に人がいないときにしきい値を調整することを特徴とする。
【００２９】
この手段により浴室内に在室している人の位置を検出することができる浴室暖房乾燥装置が得られる。
【００３０】
また、第７の課題解決手段は、雑音除去手段は、運転モードごとにしきい値を設定可能にして設けたものである。
【００３１】
この手段により浴室内に在室している人の位置を検出することができる浴室暖房乾燥装置が得られる。
【００３２】
また、第８の課題解決手段は、音検出手段がエレクトレットコンデンサマイクであることを特徴としたものである。
【００３３】
この手段により浴室内に在室している人の位置を検出することができる浴室暖房乾燥装置が得られる。
【００３４】
また、第９の課題解決手段は、暖房またはサウナ運転の場合に浴室に在室している人の位置の検出を行うことを特徴とするものである。
【００３５】
この手段により浴室内に在室している人の位置を検出することができる浴室暖房乾燥装置が得られる。
【００３６】
また、第１０の課題解決手段は、浴室内に在室している人の位置を検出した時に、循環ファンを弱またはミスト噴射手段の出力をＯＦＦすることを特徴とするものである。
【００３７】
この手段により浴室内に在室している人の位置を検出することができる浴室暖房乾燥装置が得られる。
【００３８】
また、第１１の課題解決手段は、浴室への送風方向を制御するルーバを備え、浴室内に在室している人の位置を検出した時に、前記人に送風を直接あてないようまたはあてるように選択設定して風向を制御することを特徴とするものである。
【００３９】
この手段により浴室内に在室している人の位置を検出し、自動で送風や温水を直接あたらないようまたはあてるよう制御することができる浴室暖房乾燥装置が得られる。
【００４０】
また、第１２の課題解決手段は、浴室内に在室している人の位置を検出するまでは、風向角度を閉方向に制御し、循環ファンの動作を抑制または止めるように制御し、ミスト噴射手段の出力をＯＦＦとする制御を行うことを特徴とするものである。
【００４１】
この手段により浴室内に在室している人の位置を検出し、自動で送風や温水を直接あたらないようまたはあてるように制御することができる浴室暖房乾燥装置が得られる。
【００４２】
また、第１３の課題解決手段は、暖房運転の起動時は風向角度が決定したのちに循環ファンの動作を行い送風することを特徴とするものである。
【００４３】
この手段により浴室内に在室している人の位置を検出し、暖房運転の起動時に自動で送風を直接あたらないよう制御することができる浴室暖房乾燥装置が得られる。
【００４４】
また、第１４の課題解決手段は、サウナ運転の起動時は風向角度が決定したのちに循環ファンの動作を行い送風し、ミスト噴射手段の出力をＯＮすることを特徴とするものである。
【００４５】
この手段により浴室内に在室している人の位置を検出し、サウナ運転の起動時に自動で送風や温水を直接あたらないよう制御することができる浴室暖房乾燥装置が得られる。
【発明の効果】
【００４６】
本発明によれば、浴室内の空気を循環する循環風路と、この循環風路に空気を送風する循環ファンと、前記循環風路を通過する空気を加熱する加熱手段と、温水および冷水を噴射するミスト噴射手段と、前記循環ファンと加熱手段とミスト噴射手段と制御する制御部を備えた浴室暖房乾燥装置において、浴室内の音を検出する音検出手段を少なくとも２つ以上備え、前記制御部に、前記音検出手段の検出した音の伝達時間の差により浴室内に在室している人の位置を検出する位置検出手段を備えたものであり、浴室内に在室している人の位置を検出し、自動で送風や温水を直接あたらないようまたはあてるように制御することができるという効果のある浴室暖房乾燥装置を提供できる。
【発明を実施するための最良の形態】
【００４７】
本発明の請求項１記載の発明は、浴室内の空気を循環する循環風路と、この循環風路に空気を送風する循環ファンと、前記循環風路を通過する空気を加熱する加熱手段と、温水および冷水を噴射するミスト噴射手段と、前記循環ファンと加熱手段とミスト噴射手段と制御する制御部を備えた浴室暖房乾燥装置において、浴室内の音を検出する音検出手段を少なくとも２つ以上備え、前記制御部に、前記音検出手段の検出した音の伝達時間の差により浴室内に在室している人の位置を検出する位置検出手段を備えたものであり、浴室内に在室している人の位置を検出して浴室暖房乾燥装置の運転をするという作用を有する。
【００４８】
また、請求項２記載の発明は、第１の音検出手段と第２の音検出手段を備え、位置検出手段は、第１または第２の音検出手段の一方が音の発生を検出した時から他方が音の検出をした時までの時間を検出する構成としたものであり、第１の音検出手段と第２の音検出段の検出が検出する音の時間差を検出することで浴室内に在室している人の位置を検出することができるという作用を有する。
【００４９】
また、請求項３記載の発明は、制御部には、音検出手段の信号を受けて雑音を除去する雑音除去手段を設けたものであり、雑音除去手段により、入浴者の発した音を正確に検知することができるという作用を有する。
【００５０】
また、請求項４記載の発明は、雑音除去手段は、受けた信号に対して所定のしきい値を有する構成したものであり、雑音除去手段により、浴室内に在室している人の発した音を正確に検知することができるという作用を有する。
【００５１】
また、請求項５記載の発明は、雑音除去手段は、所定のしきい値を可変して設定する構成を有するものであり、使用環境に応じたしきい値の設定をして、浴室内に在室している人の発した音を正確に検知することができるという作用を有する。
【００５２】
また、請求項６記載の発明は、雑音除去手段は、浴室に人がいないときにしきい値を調整することを特徴とするものであり、浴室内に在室している人の位置を正確に検出することができるという作用を有する。
【００５３】
また、請求項７記載の発明は、運転モード毎にしきい値をもっていることを特徴としたものであり、運転モードに応じてしきい値を設定して浴室内に在室している人の位置を正確に検出することができるという作用を有する。
【００５４】
また、請求項８記載の発明は、音検出手段がエレクトレットコンデンサマイクであることを特徴としたものであり、浴室内に在室している人の位置を検出することができるという作用を有する。
【００５５】
また、請求項９記載の発明は、暖房またはサウナ運転の場合に浴室に在室している人の位置の検出を行うことを特徴とするものであり、浴室内に在室している人の位置を検出することができるという作用を有する。
【００５６】
また、請求項１０記載の発明は、浴室内に在室している人の位置を検出した時に、循環ファンを弱またはミスト噴射手段の出力をＯＦＦすることを特徴とするものであり、浴室内に在室している人の位置を検出した際に、循環ファンを弱またはミスト噴射手段の出力のＯＦＦを制御し、自動で送風や温水を直接あたらないようすることができる作用を有する。
【００５７】
また、請求項１１記載の発明は、浴室への送風方向を制御するルーバを備え、浴室内に在室している人の位置を検出した時に、前記人に送風を直接あてないようまたはあてるように選択設定して風向を制御することを特徴とするものであり、浴室内に在室している人の位置を検出し、自動で送風や温水を直接あたらないようまたはおよびあてるように選択設定することができるという作用を有する。
【００５８】
また、請求項１２記載の発明は、浴室内に在室している人の位置を検出するまでは、風向角度を閉方向に制御し、循環ファンの動作を抑制または止めるように制御し、ミスト噴射手段の出力をＯＦＦとする制御を行うことを特徴とするものであり、浴室内に在室している人の位置を検出するまでは、自動で送風や温水を直接あたらないよう制御するという作用を有する。
【００５９】
また、請求項１３記載の発明は、暖房運転の起動時は風向角度が決定したのちに循環ファンの動作を行い送風することを特徴とするものであり、浴室内に在室している人の位置を検出し、暖房運転の起動時に自動で送風を直接あたらないよう制御することができる浴室暖房乾燥装置が得られるという作用を有する。
【００６０】
また、請求項１４記載の発明は、サウナ運転の起動時は風向角度が決定したのちに循環ファンの動作を行い送風し、ミスト噴射手段の出力をＯＮすることを特徴とするものであり、浴室内に在室している人の位置を検出し、サウナ運転の起動時に自動で送風や温水を直接あたらないよう制御することができる浴室暖房乾燥装置が得られるという作用を有する。
【００６１】
以下、本発明の実施の形態について図面を参照しながら説明する。
【００６２】
（実施の形態１）
図１（ａ）に示すように、浴室１の天井部に設置された浴室暖房乾燥装置の本体２は、前記浴室１の空気を循環する循環ファン３と、この循環ファン３で循環する空気を暖める加熱手段４と、ミストを噴射して加湿するミスト噴射手段５と、浴室１の空気を屋外へ排出する換気ファン６とから構成されている。
【００６３】
そして、本体２の下面には、浴室１へ開口して浴室１の空気を吸いこむ吸い込み口１０と、浴室１へ空気を吹き出す吹き出し口１１と、この吹き出し口１１から吹き出す空気の方向を調整するルーバ７を備えている。また、本体２には、これら循環ファン３、加熱手段４、ミスト噴射手段５、換気ファン６、ルーバ７を組み合わせて駆動する制御部８を備えている。
【００６４】
循環ファン３は、クロスフローファンやシロッコファンなどである。
【００６５】
加熱手段４は、給湯装置などを介して温水の循環供給を受ける熱交換器を利用するもの、あるいは、ＰＴＣヒータなどのヒータで構成する。
【００６６】
ミスト噴射手段５は水道や給湯装置などにより供給された水または温水を、噴射ノズルなどにより微細化して浴室内に噴射する構成のものである。
【００６７】
換気ファン６は、シロッコファンなどである。
【００６８】
ルーバ７は、ファンを回転させることで、吸い込み口１０を通して浴室内の空気を吸引し、加熱手段４、ミスト噴射手段５で加熱、加湿された空気が吹き出し口１１を通して浴室内に吹き出す方向に取り付けられている。
【００６９】
また、ルーバ７は、吹き出し口１１付近に浴室内への風向を調節するための風向変更手段として備えられ、ルーバ７を任意の角度に移動するステッピングモータ７ａにより角度調節が可能となっている。
【００７０】
ミスト噴射手段５は水道や給湯装置などにより供給された水または温水を、噴射ノズルなどにより微細化して浴室内に噴射する構成のものである。
【００７１】
さらに、浴室１の壁面には浴室内で発生する音を検出する音検出手段９としての第１の音検出手段であるマイク９ａと、第２の音検出手段であるマイク９ｂとを備えている。
【００７２】
このマイク９ａおよびマイク９ｂは、小型、軽量、安価であり、入手しやすく、また、半永久的に帯電した素子を用いるためコンデンサへのバイアス電圧が不要であることから消費電力も抑えられ、さらに周波数特性が広範囲にフラットであるエレクトレットコンデンサマイク好ましくはＭＥＭＳ（Ｍｉｃｒｏ  Ｅｌｅｃｔｒｏ  Ｍｅｃｈａｎｉｃａｌ  Ｓｙｓｔｅｍ）マイクである。音が発生すると制御部８に対して、音の大きさおよび周波数に応じた波形を出力するものである。
【００７３】
また、マイク９ａおよびマイク９ｂの配置について、浴室床面からの高さは浴槽の縁１２以上で、天井部から見た図１（ｂ）に示すように、浴槽と洗い場を挟み浴室内にいる人とほぼ一直線となる位置として浴槽中央付近が好ましい。そして、風向変更手段であるルーバ７の軌道の延長上にマイク９ａとマイク９ｂを結ぶ直線が位置するようにこれらマイク９ａ、９ｂは配置されるものである。
【００７４】
制御部８は、マイク９ａとマイク９ｂから音を検出する雑音除去手段１３とこの雑音除去手段１３の音情報から浴室に在室している人の位置を検出する位置検出手段１４を有する。
【００７５】
また、雑音除去手段１３は、あらかじめ設定したしきい値を有するものである。
【００７６】
そして、制御部８は、マイクロコンピュータなどを利用した制御基板により、遠隔操作装置（図示せず）からの入力情報と、循環ファン３および換気ファン６のファン回転数情報と、浴室内温度と噴射水温との温度情報と、位置検出手段１４の情報とを入力とし、それらの情報と運転モードまたは運転状態に応じて、循環ファン３と換気ファン６の回転数指令信号と、加熱手段４とミスト噴射手段５またはルーバ７とをそれぞれ駆動するリレーの開閉またはオンオフ信号とを出力するものである。
【００７７】
また、制御部８には、運転の開始時に、位置検出手段１４の検出情報に応じて、ルーバ７を閉方向に制御し、循環ファン３の動作を抑制または止めるよう制御し、ミスト噴射手段５をＯＦＦさせる運転抑制手段１５を備える。
【００７８】
上記構成において、換気の運転操作をすると、制御部８は換気ファン６の回転数指令信号を出力して、換気ファン６のファンを回転させることで浴室内の空気を吸い込み、連結された排気ダクト（図示せず）を介して屋外へ排出する。
【００７９】
また、乾燥の運転操作をすると、制御部８は循環ファン３の回転数指令信号と加熱手段４を駆動するリレーの閉と換気ファン６の回転数指令信号を出力して、循環ファン３の作用により、吸い込み口１０を通して浴室内の空気を吸引するとともに、吹き出し口１１を通して吹き出す空気を、加熱手段４により加熱された空気を循環させながら、換気ファン６のファンを回転させることで浴室内の空気を吸い込み、連結された排気ダクト（図示せず）を介して屋外へ排出して浴室内の乾燥を行う。
【００８０】
また、暖房の運転操作をすると、制御部８は循環ファン３の回転数指令信号と加熱手段４を駆動するリレーの閉を出力して、循環ファン３の作用により、吸い込み口１０を通して浴室内の空気を吸引するとともに、吹き出し口１１を通して吹き出す空気を、加熱手段４により加熱して浴室内の暖房を行うこととなる。
【００８１】
さらに、サウナ運転の操作をすると、制御部８はミスト噴射手段５を駆動するリレーの閉を出力して、供給された水または温水を、噴射ノズルにより微細化して浴室内に噴射して、浴室内の加湿を行う。
【００８２】
以上のように、浴室に人のいない場合には、運転動作を容易に行うことができるが、人が浴室にいる場合には、例えば暖房運転では、運転の開始時に直接吹き出し風に当たることにより冷風感を与えてしまうことがある。また、サウナ運転時には、噴霧される温水の温度が安定するまでは、入浴者とって心地よい温度になっていない場合がある。そこで、本実施の形態のように、入浴者のあるなしを検出して運転の制御を行うことが極めて有用となる。
【００８３】
まずは、浴室にいる人の位置を検出する方法について説明する。
【００８４】
図１（ｂ）に示すように、音が発生した位置を点Ｐ、マイク９ａの設置点すなわち第１の設置点Ａ、マイク９ｂの設置点すなわち第２の設置点Ｂとすると、図２に示すように点Ａ、点Ｂで検出した点Ｐの音は同一もしくは類似した波形となる。しかし、点Ｐ−Ａ間および点Ｐ−Ｂ間の距離が異なるため、音の伝達時間の差ｔが生じる。この音の伝達時間の差ｔを知ることにより、Ａ−Ｂ間の距離をＤ、音速をｖとすると、点Ｐ−Ａ間および点Ｐ−Ｂ間の距離ｄａおよびｄｂは式１、式２により求めることができる。
【００８５】
【数１】
2010117060.tif 000003
【００８６】
【数２】
2010117060.tif 000004
【００８７】
但し、式１、式２は点Ａの方が点Ｐに近い場合であり、逆の場合はすなわち点Ｂの方が点Ｐに近い場合は、式３、式４のように求めることができる。
【００８８】
【数３】
2010117060.tif 000005
【００８９】
【数４】
2010117060.tif 000006
【００９０】
すなわち、第１の設置点Ａと第２の設置点Ｂとの音の伝達時間の差ｔがわかれば点Ｐの位置、つまり浴室にいる人の位置を特定することができる。
【００９１】
そこで、本実施の形態の位置検出手段１４は、第１の設置点Ａと第２の設置点Ｂとの音の伝達時間の差ｔから浴室にいる人の位置である点Ｐを特定する。そして、この点Ｐは風向変更手段であるルーバ７の軌道の延長上にあるので、ルーバ７の回転角度を調節することで人のいる側と人のいない側を区別して、吹き出し口１１から吹き出す空気の方向を調整することができる。
【００９２】
音が発生したと判断する処理については、雑音除去知手段１３に雑音除去のために図２に示すような所定のしきい値を設け、このしきい値以上であれば音が発生したと認識する。
【００９３】
なお、前記しきい値は運転モード毎で循環ファン３やミスト噴射手段５や換気ファン５など動作する／しないの違いなどにより雑音の大きさが異なるため、運転モード、強／弱、温度設定毎など個別に設けてあることが望ましい。また、前記しきい値は可変する構成とし、遠隔操作装置（図示せず）から設定可能とする、あるいは浴室に人がいないと判断したときに自動調節することが望ましい。
【００９４】
図２に示すように、マイク９ａにおいて先に音が発生したと認識した場合、位置検出手段１４はマイク９ｂにおいて音が発生したと認識するまでの時間を計測するべくカウントを開始する。しかし、マイク９ａが音の発生を認識してもマイク９ｂは認識できなかったり、別の音源からの音の発生を認識したりする場合がある。そこで、計測した時間差が浴室の幅から設定した所定時間よりも大きい場合、すなわち前記所定時間内にマイク９ｂにおいて発生した音をと認識しなかった際には再度やりなおす。
【００９５】
また、誤検出防止のため所定時間内に複数回、望ましくは５秒以内で３回以上音の伝達時間の差を取り込み、算出された点Ｐ−Ａ間または／および点Ｐ−Ｂ間の距離、例えば点Ｐ−Ａ間の距離ｄａが５％以内の差である場合にこの距離データにより浴室にいる人の位置を確定する。
【００９６】
次に、浴室内にいる人の位置を検出するまでの制御部８の制御内容について説明する。制御部８に設けた運転抑制手段１５は、浴室内にいる人の位置を検出するまでは、ルーバ７を閉方向に制御し、循環ファン３の動作を抑制または止めるよう制御し、ミスト噴射手段５の出力をＯＦＦとすることで、例えば浴室内に入って間もない場合など浴室内にいる人の位置が確定していない時に、浴室内の人に送風や温水を直接あたらないよう制御する。
【００９７】
次に、浴室内にいる人の位置を検出してからの制御部８の制御内容について説明する。
【００９８】
運転抑制手段１５は、暖房運転やサウナ運転の起動時には、送風温度や温水温度が安定していない可能性が高いので、浴室内にいる人に送風や温水を直接あたらないよう制御する運転抑制の制御を行う。但し、前記運転抑制の制御は解除条件を満たすと浴室内にいる人に送風や温水を直接あててしまうことになり、また一度に動作させると動作音も大きくなる場合もあるため、浴室内にいる人の位置を検出してから運転抑制の制御は解除条件を満たしてもすぐに送風やミスト噴射を行わず、送風温度や温水温度が安定するよう、また、動作音の点から、暖房運転の場合はルーバ７の角度が決定してから循環ファン３の動作を行い、サウナ運転の場合はさらにミスト噴射手段５の出力を行うよう制御する。連続で起動する場合など入浴者が起動時の制御が不要である場合には遠隔操作装置（図示せず）により起動時の制御の解除を行う。
【００９９】
暖房運転やサウナ運転では、前記の運転抑制の制御を起動時に行うこととなるが、それを終えた際には、図３（ａ）、図３（ｂ）に示すように、ルーバ７を任意の角度に移動するステッピングモータ７ａにより角度調節を行い送風することによりミスト噴射手段５の気流を浴室の洗い場へ向ける気流Ａまたは気流を浴槽側へ向ける気流Ｂのように変更し、浴室内にいる人に送風や温水が直接あたらないようまたは直接あたるように制御することとなる。  浴室内にいる人に送風や温水を「直接あてない」または「直接あてる」の選択設定は遠隔操作装置（図示せず）により行われる。例えば、入浴者が直接送風や温水があたって肌寒く感じる場合は「直接あてない」設定とし、また、入浴者の嗜好により送風にあたりたい場合や温水を直接浴びたい場合は「直接あてる」設定とする。
【０１００】
なお、浴室内にいる人に送風や温水を直接あたらないようまたはあてるように制御するために浴室内にいる人の位置の特定が必要なのは、主に入浴時に行われる運転である暖房運転またはサウナ運転であり、特定の運転モードである場合のみ人の位置検出を行うものとしてもよい。
【０１０１】
以上のように、浴室内に在室している人の位置を検出することができ、浴室内に在室している人に送風や温水を直接あたらないようまたはあたるように制御することができるサウナ機能付き浴室暖房乾燥換気装置が得られる。
【０１０２】
なお、実施の形態１では、暖房運転やサウナ運転の起動時を終えた際の処理としてルーバ７の角度調節を行い送風することによりミスト噴射手段５の気流を変更し、浴室内にいる人に送風や温水が直接あたらないようまたは直接あたるよう制御するものとしたが、ミスト噴射手段５の射出方向を可変とし、ミスト噴射手段５の射出方向を変更し、ルーバ７の角度調節を行うものとしてもよく、その作用効果に差異は生じない。
【産業上の利用可能性】
【０１０３】
本発明にかかる浴室暖房乾燥装置では、浴室内に在室している人の位置を検出でき、送風や温水を直接あたらないようまたはあてるよう制御することができるものであり、浴室のみに限らず、送風機能のある装置一般に適用でき、家庭用エアコンディショナ、自動車用エアコンディショナ、空気清浄機、ビル用空調機などの用途にも適用できる。
【図面の簡単な説明】
【０１０４】
【図１】本発明の実施の形態１の浴室暖房乾燥装置の概略図（（ａ）側面透視図、（ｂ）平面透視図）
【図２】同音検出手段により音を検出した際の音波形の一例を示す図
【図３】同ルーバ角度調節による送風およびミスト気流制御の一例を示す図（（ａ）入浴者に温風や温水を直接あてる場合の図、（ｂ）入浴者に温風や温水を直接あてない場合の図）
【図４】従来例の浴室暖房乾燥装置の概略図（（ａ）可動ルーバーを備えた浴室暖房乾燥装置の図、（ｂ）光電センサを備えた浴室暖房乾燥装置の図）
【符号の説明】
【０１０５】
１      浴室
２      本体
３      循環ファン
４      加熱手段
５      ミスト噴射手段
６      換気ファン
７      ルーバ
７ａ    ステッピングモータ
８      制御部
９      音検出手段
９ａ    マイク
９ｂ    マイク
１０    吸い込み口
１１    吹き出し口
１２    浴槽の縁
１３    雑音除去手段
１４    位置検出手段
１５    運転抑制手段
１０１  浴室
１０２  天井部
１０３  本体
１０４  循環ファン
１０５  加熱手段
１０６  吸い込み口
１０７  吹き出し口
１０８  換気ファン
１０９  ミスト噴射手段
１１０  ルーバ
１１１  ルーバ駆動用モータ
１１２  制御部
１１３  光電センサ
【図１】
2010117060.tif 000007
【図２】
2010117060.tif 000008
【図３】
2010117060.tif 000009
【図４】
2010117060.tif 000010